【手続補正書】
【提出日】令和2年8月4日(2020.8.4)
【手続補正１】
【補正対象書類名】特許請求の範囲
【補正対象項目名】全文
【補正方法】変更
【補正の内容】
【特許請求の範囲】
【請求項１】
コンピューティングデバイスのネットワークにおいてデジタルインクを有するドキュメントに対するコラボレーションを管理するためのシステムであって、各コンピューティングデバイスは、プロセッサと、前記プロセッサの制御下で手書き入力を処理するための少なくとも１つの非一時的コンピュータ可読媒体とを備えるシステムであって、各少なくとも１つの非一時的コンピュータ可読媒体は、
それぞれの前記コンピューティングデバイスに関連付けられたディスプレイ上に、前記ドキュメントのジャーナルに基づいてデジタルインクを有するドキュメントを表示させ、
前記デジタルインクによって表現される前記ドキュメントに対する少なくとも手書き入力に関連付けられた複数のジャーナルエントリを有するように、前記ジャーナルを定義し、
前記ネットワークを介して、前記ジャーナルの１つまたは複数の前記ジャーナルエントリを、前記ドキュメントを表示する１つまたは複数の他のコンピューティングデバイスと通信する
ように構成され、
前記ネットワークを介して通信される前記１つまたは複数のジャーナルエントリは、前記ドキュメントを表示する前記１つ又は複数の他のコンピューティングデバイス上で、前記ドキュメント又は前記ドキュメントの先行バージョンを構築又は再構築するように使用され、
前記ジャーナルエントリに関連付けられた前記手書き入力は、前記通信された１つまたは複数のジャーナルエントリに基づいて前記ドキュメントを表示する前記コンピューティングデバイスのうちのいずれかの入力インターフェースを介した前記ドキュメントに対する手書き入力であることを特徴とするシステム。
【請求項２】
各ジャーナルエントリは、少なくともそのジャーナルエントリを識別する識別情報と、そのジャーナルエントリに関連付けられた少なくとも前記手書き入力についてのコンテンツ情報とを含むように定義されることを特徴とする請求項１に記載のシステム。
【請求項３】
前記ジャーナルは、前記ジャーナルエントリの間のリンクが各ジャーナルエントリの前記識別情報に基づいて形成されるように定義されることを特徴とする請求項２に記載のシステム。
【請求項４】
各少なくとも１つの非一時的コンピュータ可読媒体は、前記識別情報を、それぞれの前記コンテンツ情報の前記手書き入力の時間についての時間情報に少なくとも基づいて定義するように構成され、
前記ジャーナルの最初のジャーナルエントリの後の各ジャーナルエントリは、時間順序で、そのジャーナルエントリの前記時間情報の前の時間情報を有する１つのジャーナルエントリにリンクされることを特徴とする請求項３に記載のシステム。
【請求項５】
第１のコンピューティングデバイスの前記少なくとも１つの非一時的コンピュータ可読媒体は、
前記ジャーナルを、１つのジャーナルエントリにリンクされた２つ以上の分岐されたジャーナルエントリに分岐させるように構成され、前記１つのジャーナルエントリは、時間順序で、前記分岐されたジャーナルエントリの時間情報の前の時間情報を有し、そのとき、
前記分岐されたジャーナルエントリは、前記ドキュメントの同じデジタルインクの少なくとも部分に関して、前記第１のコンピューティングデバイスを含む前記コンピューティングデバイスのうちの２つ以上の入力インターフェースに対する手書き入力についてのコンテンツ情報を有し、
前記第１のコンピューティングデバイスに関連付けられた第１の入力インターフェースに対する前記手書き入力についての前記コンテンツ情報を有する前記分岐されたジャーナルエントリの前記時間情報は、１つまたは複数の他の前記分岐されたジャーナルエントリのうちの少なくとも１つの前記時間情報よりも時間順序で後である請求項４に記載のシステム。
【請求項６】
第１のコンピューティングデバイスの前記少なくとも１つの非一時的コンピュータ可読媒体は、
前記第１の入力インターフェースに対する前記手書き入力についての前記コンテンツ情報を有する前記分岐されたジャーナルエントリのコピーを、前記コピーされた分岐されたジャーナルエントリの時間順序の直前の時間順序で時間情報を有する分岐されたジャーナルエントリにリンクするように構成されることを特徴とする請求項５に記載のシステム。
【請求項７】
コンピューティングデバイスのネットワークにおいてデジタルインクを有するドキュメントに対するコラボレーションを管理するための方法であって、各コンピューティングデバイスは、プロセッサと、前記プロセッサの制御下で手書き入力を処理するための少なくとも１つの非一時的コンピュータ可読媒体とを備える方法であって、
前記コンピューティングデバイスのうちの１つに関連付けられたディスプレイ上に、前記ドキュメントのジャーナルに基づいてデジタルインクを有するドキュメントを表示するステップと、
前記デジタルインクによって表現される前記ドキュメントに対する少なくとも手書き入力に関連付けられた複数のジャーナルエントリを有するように、前記ジャーナルを定義するステップと、
前記ネットワークを介して、前記ジャーナルの１つまたは複数の前記ジャーナルエントリを、前記ドキュメントを表示する１つまたは複数の他のコンピューティングデバイスと通信するステップと
を含み、
前記ネットワークを介して通信される前記１つまたは複数のジャーナルエントリは、前記ドキュメントを表示する前記１つ又は複数の他のコンピューティングデバイス上で、前記ドキュメント又は前記ドキュメントの先行バージョンを構築又は再構築するように使用され、
前記ジャーナルエントリに関連付けられた前記手書き入力は、前記通信された１つまたは複数のジャーナルエントリに基づいて前記ドキュメントを表示する前記コンピューティングデバイスのうちのいずれかの入力インターフェースを介した前記ドキュメントに対する手書き入力であることを特徴とする方法。
【請求項８】
各ジャーナルエントリは、少なくともそのジャーナルエントリを識別する識別情報と、そのジャーナルエントリに関連付けられた少なくとも前記手書き入力についてのコンテンツ情報とを含むように定義されることを特徴とする請求項７に記載の方法。
【請求項９】
前記ジャーナルは、前記ジャーナルエントリの間のリンクが各ジャーナルエントリの前記識別情報に基づいて形成されるように定義されることを特徴とする請求項８に記載の方法。
【請求項１０】
前記識別情報を、それぞれの前記コンテンツ情報の前記手書き入力の時間についての時間情報に少なくとも基づいて定義するステップを含み、
前記ジャーナルの最初のジャーナルエントリの後の各ジャーナルエントリは、時間順序で、そのジャーナルエントリの前記時間情報の前の時間情報を有する１つのジャーナルエントリにリンクされることを特徴とする請求項９に記載の方法。
【請求項１１】
第１のコンピューティングデバイスの前記少なくとも１つの非一時的コンピュータ可読媒体で、
前記ジャーナルを、１つのジャーナルエントリにリンクされた２つ以上の分岐されたジャーナルエントリに分岐させるステップを含み、前記１つのジャーナルエントリは、時間順序で、前記分岐されたジャーナルエントリの時間情報の前の時間情報を有し、そのとき、
前記分岐されたジャーナルエントリは、前記ドキュメントの同じデジタルインクの少なくとも部分に関して、前記第１のコンピューティングデバイスを含む前記コンピューティングデバイスのうちの２つ以上の入力インターフェースに対する手書き入力についてのコンテンツ情報を有し、
前記第１のコンピューティングデバイスに関連付けられた第１の入力インターフェースに対する前記手書き入力についての前記コンテンツ情報を有する前記分岐されたジャーナルエントリの前記時間情報は、１つまたは複数の他の前記分岐されたジャーナルエントリのうちの少なくとも１つの前記時間情報よりも時間順序で後であることを特徴とする請求項１０に記載の方法。
【請求項１２】
前記第１のコンピューティングデバイスの前記少なくとも１つの非一時的コンピュータ可読媒体で、
前記第１の入力インターフェースに対する前記手書き入力についての前記コンテンツ情報を有する前記分岐されたジャーナルエントリのコピーを、前記コピーされた分岐されたジャーナルエントリの時間順序の直前の時間順序で時間情報を有する分岐されたジャーナルエントリにリンクするステップを含むことを特徴とする請求項１１に記載の方法。
【請求項１３】
コンピュータ可読プログラムコードが具現化された非一時的コンピュータ可読媒体であって、前記コンピュータ可読プログラムコードは、コンピューティングデバイスのネットワークにおいてデジタルインクを有するドキュメントに対するコラボレーションを管理するための方法を実装するように実行されるように適合され、各コンピューティングデバイスは、プロセッサと、前記プロセッサの制御下で手書き入力を処理するための少なくとも１つの非一時的コンピュータ可読媒体とを備える非一時的コンピュータ可読媒体において、前記方法は、
前記コンピューティングデバイスのうちの１つに関連付けられたディスプレイ上に、前記ドキュメントのジャーナルに基づいてデジタルインクを有するドキュメントを表示することと、
前記デジタルインクによって表現される前記ドキュメントに対する少なくとも手書き入力に関連付けられた複数のジャーナルエントリを有するように、前記ジャーナルを定義することと、
前記ネットワークを介して、前記ジャーナルの１つまたは複数の前記ジャーナルエントリを、前記ドキュメントを表示する１つまたは複数の他のコンピューティングデバイスと通信することと
を含み、
前記ネットワークを介して通信される前記１つまたは複数のジャーナルエントリは、前記ドキュメントを表示する前記１つ又は複数の他のコンピューティングデバイス上で、前記ドキュメント又は前記ドキュメントの先行バージョンを構築又は再構築するように使用され、
前記ジャーナルエントリに関連付けられた前記手書き入力は、前記通信された１つまたは複数のジャーナルエントリに基づいて前記ドキュメントを表示する前記コンピューティングデバイスのうちのいずれかの入力インターフェースを介した前記ドキュメントに対する手書き入力であることを特徴とする非一時的コンピュータ可読媒体。
【請求項１４】
各ジャーナルエントリは、少なくともそのジャーナルエントリを識別する識別情報と、そのジャーナルエントリに関連付けられた少なくとも前記手書き入力についてのコンテンツ情報とを含むように定義されることを特徴とする請求項１３に記載の非一時的コンピュータ可読媒体。
【請求項１５】
前記ジャーナルは、前記ジャーナルエントリの間のリンクが各ジャーナルエントリの前記識別情報に基づいて形成されるように定義されることを特徴とする請求項１４に記載の非一時的コンピュータ可読媒体。
【請求項１６】
前記方法は、
前記識別情報を、それぞれの前記コンテンツ情報の前記手書き入力の時間についての時間情報に少なくとも基づいて定義することを含み、
前記ジャーナルの最初のジャーナルエントリの後の各ジャーナルエントリは、時間順序で、そのジャーナルエントリの前記時間情報の前の時間情報を有する１つのジャーナルエントリにリンクされることを特徴とする請求項１５に記載の非一時的コンピュータ可読媒体。
【請求項１７】
前記方法は、第１のコンピューティングデバイスで、
前記ジャーナルを、１つのジャーナルエントリにリンクされた２つ以上の分岐されたジャーナルエントリに分岐させることを含み、前記１つのジャーナルエントリは、時間順序で、前記分岐されたジャーナルエントリの時間情報の前の時間情報を有し、そのとき、
前記分岐されたジャーナルエントリは、前記ドキュメントの同じデジタルインクの少なくとも部分に関して、前記第１のコンピューティングデバイスを含む前記コンピューティングデバイスのうちの２つ以上の入力インターフェースに対する手書き入力についてのコンテンツ情報を有し、
前記第１のコンピューティングデバイスに関連付けられた第１の入力インターフェースに対する前記手書き入力についての前記コンテンツ情報を有する前記分岐されたジャーナルエントリの前記時間情報は、１つまたは複数の他の前記分岐されたジャーナルエントリのうちの少なくとも１つの前記時間情報よりも時間順序で後であることを特徴とする請求項１６に記載の非一時的コンピュータ可読媒体。
【請求項１８】
前記方法は、前記第１のコンピューティングデバイスで、
前記第１の入力インターフェースに対する前記手書き入力についての前記コンテンツ情報を有する前記分岐されたジャーナルエントリのコピーを、前記コピーされた分岐されたジャーナルエントリの時間順序の直前の時間順序で時間情報を有する分岐されたジャーナルエントリにリンクすることを含むことを特徴とする請求項１７に記載の非一時的コンピュータ可読媒体。